(57)【要約】【課題】本発明は、筒状ケース内の回転電器を保持する端板に当接する一対のリテイニングリングの抜け止めを安全にすることである。【解決手段】本発明による回転電器装置のリテイニングリングの抜け止め構造は、筒状ケース(1)の回転電器(5)の軸(2)の軸受(2A)を有する端板(7)を保持するための一対のリテイニングリング(11)の隣にロッキングワッシャ(105)を設け、このロッキングワッシャ(105)の一対のタブ(105a)をロッキングワッシャ(105)にコ字状に巻付けることによって、リテイニングリング(11)の内径方向(F)への変形を防止する構成である。【選択図】図１
2017028928.tif 000002
【特許請求の範囲】
【請求項１】
筒状ケース(1)内に回転電器(5)を設け、前記回転電器(5)のロータ(3)を貫通した軸(2)を前記筒状ケース(1)の端板(7)の軸受(2A)で軸支し、前記筒状ケース(1)の内壁(6a)に形成され前記端板(7)の外側(9)に位置する止め用凹部(10)にリテイニングリング(11)を係合し、前記端板(7)の外方への抜けを前記リテイニングリング(11)によって防止するようにした回転電器装置のリテイニングリングの抜け止め構造において、
前記リテイニングリング(11)の内側には、一対のタブ(105a)を有するロッキングワッシャ(105)が設けられ、前記各タブ(105a)を前記リテイニングリング(11)に対してコ字状に曲折し、前記タブ(105a)の先部(105b)は前記リテイニングリング(11)の外側面(11A)に接していることにより、前記リテイニングリング(11)の内径方向(F)への変形を防止する構成としたことを特徴とする回転電器装置のリテイニングリングの抜け止め構造。
【請求項２】
前記各タブ(105a)は、前記ロッキングワッシャ(105)の内周面(105c)に１８０度対向する位置に形成されていることを特徴とする請求項１記載の回転電器装置のリテイニングリングの抜け止め構造。
【請求項３】
前記端板(7)は、前記筒状ケース(1)の端部(6b)に設けられ、かつ、前記リテイニングリング(11)及びロッキングワッシャ(105)が保持されている前記止め用凹部(10)に連通する内孔(6)内にＯリング(8)を介して配設されていることを特徴とする請求項１又は２記載の回転電器のリテイニングリングの抜け止め構造。
【請求項４】
前記回転電器(5)は、前記筒状ケース(1)内で軸方向(A)に沿って、複数個が積層されていることを特徴とする請求項１ないし３の何れかに記載の回転電器のリテイニングリングの抜け止め構造。
【発明の詳細な説明】
【技術分野】
【０００１】
本発明は、回転電器装置のリテイニングリングの抜け止め構造に関し、特に、リテイニングリングの内側に設けたロッキングワッシャにより、リテイニングリングが筒状ケースから抜けることが無いようにするための新規な改良に関する。
【背景技術】
【０００２】
従来、用いられていたこの種のリテイニングリングを用いた回転電器としては、例えば、特許文献１の構成を挙げることができるが、実際には、図６で示す構成が広く採用されている。
すなわち、図６において符号１で示されるものは全体形状が筒状をなす筒状ケースであり、前記筒状ケース１内には、軸２に設けられたロータ３と、前記筒状ケース１の内孔６の内壁６ａに設けられたステータ４とからなる回転電器５が設けられている。
【０００３】
前記筒状ケース１の内孔６の端部６ｂには、軸受２Ａを有する端板７がＯリング８を介して設けられており、前記内孔６の外側９に形成された止め用凹部１０には、一対のリテイニングリング１１が設けられ、前記端板７と前記リテイニングリング１１とは互いに当接し、前記端板７が軸方向Ａに付勢された時における前記端板７の前記外側９への飛び出しが前記リテイニングリング１１によって防止されるように構成されている。
【先行技術文献】
【特許文献】
【０００４】
【特許文献１】特許第３６７４４０６号公報
【発明の概要】
【発明が解決しようとする課題】
【０００５】
従来の回転電機装置のリテイニングリングの抜け止め構造は、以上のように構成されているため、次のような課題が存在していた。
すなわち、図６の従来構成において、軸２に負荷がかかり、軸方向Ａに沿って端板７が外側９に向けて付勢されると、二重に形成されたリテイニングリング１１に圧力がかかり、セルフロックの機能が発揮されるが、この圧力が所定以上に達した時に、各リテイニングリング１１が内径方向に変形されて前記止め用凹部１０から抜けることがあり、より安全なリテイニングリングの抜け防止が切望されていた。
【０００６】
本発明は、以上のような課題を解決するためになされたもので、特に、リテイニングリングの内側に設けたロッキングワッシャにより、リテイニングリングが筒状ケースから抜けることのないようにした安全性の高い回転電器装置のリテイニングリングの抜け止め構造を提供することを目的とする。
【課題を解決するための手段】
【０００７】
本発明による回転電器装置のリテイニングリングの抜け止め構造は、筒状ケース内に回転電器を設け、前記回転電器のロータを貫通した軸を前記筒状ケースの端板の軸受で軸支し、前記筒状ケースの内壁に形成され前記端板の外側に位置する止め用凹部にリテイニングリングを係合し、前記端板の外方への抜けを前記リテイニングリングによって防止するようにした回転電器装置のリテイニングリングの抜け止め構造において、前記リテイニングリングの内側には、一対のタブを有するロッキングワッシャが設けられ、前記各タブを前記リテイニングリングに対してコ字状に曲折し、前記タブの先部は前記リテイニングリングの外側面に接していることにより、前記リテイニングリングの内径方向への変形を防止する構成であり、また、前記各タブは、前記ロッキングワッシャの内周面に１８０度対向する位置に形成されている構成であり、また、前記端板は、前記筒状ケースの端部に設けられ、かつ、前記リテイニングリング及びロッキングワッシャが保持されている前記止め用凹部に連通する内孔内にＯリングを介して配設されている構成であり、また、前記回転電器は、前記筒状ケース内で軸方向に沿って、複数個が積層されている構成である。
【発明の効果】
【０００８】
本発明による回転電器装置のリテイニングリングの抜け止め構造は、以上のように構成されているため、次のような効果を得ることができる。
すなわち、筒状ケースの止め用凹部に設けられた一対のリテイニングリングの内側に設けられたロッキングワッシャのタブをコ字状に曲折し、タブの先部をリテイニングリングの外端面に接触させているため、リテイニングリングに外力が付加されてリテイニングリングが内径方向へ変形するような場合でも、この変形を防止することができ、リテイニングリングの筒状ケースからの抜けを防止することができる。
【図面の簡単な説明】
【０００９】
【図１】本発明による回転電器装置のリテイニングリングの抜け止め構造を示す断面図である。
【図２】図１の要部Ｃを示す拡大断面図である。
【図３】図１の要部のロッキングワッシャを示す側面図である。
【図４】図３のロッキングワッシャのタブを曲折させる状態を示す説明図である。
【図５】図４にて曲げられたタブを示すＡ−Ａ断面図である。
【図６】従来構成を示す断面図である。
【発明を実施するための形態】
【００１０】
本発明による回転電器装置のリテイニングリングの抜け止め構造は、リテイニングリングの内側に設けたロッキングワッシャにより、リテイニングリングの内径方向への変形を防止して筒状ケースから抜けないようにすることである。
【実施例】
【００１１】
以下、図面と共に本発明による回転電器装置のリテイニングリングの抜け止め構造の好適な実施の形態について説明する。
尚、従来例と同一又は同等部分については、同一符号を付して説明する。
図１において符号１で示されるものは、全体形状が筒状をなすと共に回転電器装置１００の筒状ケースであり、前記筒状ケース１内には、合計４個の軸受２Ａ，２Ｂ，２Ｃ，２Ｄが軸方向Ａに沿って所要位置に配設されている。
【００１２】
前記筒状ケース１内には、接続部１０１で接続された長手の軸２が前記各軸受２Ａ，２Ｂ，２Ｃ及び２Ｄを介して回転自在に設けられている。
前記筒状ケース１の内孔６の内壁６ａには、各回転電器５のステータ４が所要の間隔で配設され、前記軸２上には、前記各ステータ４に対応するように、各ロータ３が配設されている。
【００１３】
前記各ステータ４と各ロータ３とによって構成された各回転電器５は、モータとレゾルバによる冗長系が構成されている。
前記筒状ケース１の一部には、一対のコネクタ部１０２が互いに離間した状態で設けられており、前記各コネクタ部１０２には、前記各回転電器５からのリード線５ａが接続されている。
【００１４】
前記筒状ケース１の後端である端板７の前記軸受２Ａには、前記軸２の後端２ａが軸支されており、前記内孔６内に位置している。
前記端板７に設けられている本発明における特徴であるリテイニングリング１１及びロッキングワッシャ１０５は、図１の要部Ｃを拡大して示す図２に具体的に示されている。
すなわち、図２において、前記端板７は、前記内孔６の端部６ｂには、Ｏリング８を介して設けられており、前記内孔６の外側９に形成された止め用凹部１０には、一対の前記リテイニングリング１１が軸方向Ａに沿って互いに積層した状態で配設されている。
【００１５】
前記止め用凹部１０内における前記各リテイニングリング１１の隣接位置には、周知のロッキングワッシャ１０５が設けられ、このロッキングワッシャ１０５は、前記端板７の端面７ａに接して配設されると共に、前記リテイニングリング１１と前記端面７ａとの間に位置している。
【００１６】
前記ロッキングワッシャ１０５は、図３で示されるように、１８０度対向する位置に互いに内側に向けて突出する一対のタブ１０５ａが形成されている。
前記各タブ１０５ａは、図４に示されるように、ロッキングワッシャ１０５から前記外側９へ向けて矢印Ｄの方向へ、コ字状に曲折され、前記タブ１０５によって図５に示されるように、前記各リテイニングリング１１の２ヶ所が挟持されるように構成されている。
【００１７】
前記タブ１０５ａは、その先部１０５ｂがリテイニングリング１１の外端面１１Ａに接していることにより、前記各リテイニングリング１１の中折れ、すなわち、内径方向への変形による抜けを、コ字状に折り曲げられた前記タブ１０５ａによって防止することができるように構成されている。
尚、前記端板７と前記回転電器５との間には、図２のように、波ワッシャ１１０が介装されており、前記回転電器５に対して前記端板７が前記ロッキングワッシャ１０５及びリテイニングリング１１側へ付勢されている。
従って、前述の構成において、前記端板７に強い付勢が作用した場合でも、前記各リテイニングリング１１の中折れが発生することなく、リテイニングリングの抜け止め防止ができるように構成されている。
【００１８】
次に、本発明による回転電器装置のリテイニングリングの抜け止め構造の要旨とするところは、以下の通りである。
すなわち、筒状ケース１内に回転電器５を設け、前記回転電器５のロータ３を貫通した軸２を前記筒状ケース１の端板７の軸受２Ａで軸支し、前記筒状ケース１の内壁６ａに形成され前記端板７の外側９に位置する止め用凹部１０にリテイニングリング１１を係合し、前記端板７の外方への抜けを前記リテイニングリング１１によって防止するようにした回転電器装置のリテイニングリングの抜け止め構造において、前記リテイニングリング１１の内側には、一対のタブ１０５ａを有するロッキングワッシャ１０５が設けられ、前記各タブ１０５ａを前記リテイニングリング１１に対してコ字状に曲折し、前記タブ１０５ａの先部１０５ｂは前記リテイニングリング１１の外側面１１Ａに接していることにより、前記リテイニングリング１１の内径方向Ｆへの変形を防止する構成であり、また、前記各タブ１０５ａは、前記ロッキングワッシャ１０５の内周面１０５ｃに１８０度対向する位置に形成されている構成であり、また、前記端板７は、前記筒状ケース１の端部６ｂに設けられ、かつ、前記リテイニングリング１１及びロッキングワッシャ１０５が保持されている前記止め用凹部１０に連通する内孔６内にＯリング８を介して配設されている構成であり、また、前記回転電器５は、前記筒状ケース１内で軸方向Ａに沿って、複数個が積層されている構成である。
【産業上の利用可能性】
【００１９】
本発明による回転電器装置のリテイニングリングの抜け止め構造は、リテイニングリングの隣りに設けたロッキングワッシャのタブを、リテイニングリングに巻き付けているため、前記リテイニングリングの内径方向への変形を防止し、リテイニングリングの筒状ケースからの抜けを防止し、装置の信頼性及び寿命を向上できる。
【符号の説明】
【００２０】
１    筒状ケース
２    軸
２ａ    後端
２Ａ〜２Ｄ    軸受
３    ロータ
４    ステータ
５    回転電器
５ａ    リード線
６    内孔
６ａ    内壁
６ｂ    端部
７    端板
７ａ    端面
８    Ｏリング
９    外側
１０    止め用凹部
１１    リテイニングリング
１００    回転電器装置
１０５    ロッキングワッシャ
１０５ａ    タブ
１０５ｂ    先部
１０５ｃ    内周面
Ａ    軸方向
【図１】
2017028928.tif 000003
【図２】
2017028928.tif 000004
【図３】
2017028928.tif 000005
【図４】
2017028928.tif 000006
【図５】
2017028928.tif 000007
【図６】
2017028928.tif 000008